(57)【特許請求の範囲】
【請求項１】
食事の際に摂取されたカロリー数または糖質量を演算し管理する食事管理システムであって、
前記食事の際に何口食べたかを示す口数を入力する入力部と、
前記口数を入力するための表示を行う表示部と、
前記食事における一口当たりのカロリー数または糖質量を記憶する記憶部と、
前記記憶部に記憶された一口当たりのカロリー数または糖質量および前記入力部から入力された口数に基づいて前記食事の際に摂取されたカロリー数または糖質量の演算処理を行う演算処理部と、を有し、
前記表示部は、前記口数を入力するための入力キー画像を表示するとともに、
前記口数は、前記表示部の入力キー画像を押下した回数とし、前記入力キー画像の１回の押下を前記一口として一口ずつ入力されることを特徴とする食事管理システム。
【請求項２】
前記演算処理部は、前記カロリー数または前記糖質量を一口ずつ累積して演算するとともに、前記カロリー数または前記糖質量の制限値から前記一口ずつ累積して演算したカロリー数または糖質量を減算し、該減算して得られた値を摂取可能な残カロリー数または残糖質量として前記口数が一口ずつ入力されるごとに前記表示部に表示させることを特徴とする、請求項１に記載の食事管理システム。
【請求項３】
前記演算処理部は、前記カロリー数または前記糖質量を一口ずつ累積して演算するとともに、前記カロリー数または前記糖質量の制限値から前記一口ずつ累積して演算したカロリー数または糖質量を減算し、かつ、該減算して得られた値を前記一口当たりのカロリー数または糖質量で除し、該除して得られた値を摂取可能な残口数として前記口数が一口ずつ入力されるごとに前記表示部に表示させることを特徴とする、請求項１に記載の食事管理システム。
【請求項４】
前記記憶部は、前記一口当たりのカロリー数または糖質量を前記食事を構成している所定の単位要素ごとに記憶するとともに、前記入力部は、前記口数を前記単位要素ごとに前記一口ずつ入力し、前記表示部は、前記単位要素ごとに残口数を表示することを特徴とする、請求項２または請求項３に記載の食事管理システム。
【請求項５】
前記演算処理部は、前記食事の終了を示す終了情報の入力に基づいて前記カロリー数または前記糖質量の演算処理を終了し、該演算処理の終了により得られた値を前記単位要素ごとの前記カロリー数または前記糖質量の総量として日付と対応させ、かつ、前記カロリー数または前記糖質量の前記日付による変化を演算し解析することを特徴とする、請求項４に記載の食事管理システム。
【請求項６】
前記単位要素は、前記食事を構成している材料および飲料の種別とすることを特徴とする、請求項５に記載の食事管理システム。
【請求項７】
携帯端末装置と、前記携帯端末装置と通信回線を通じて接続され通信可能に構成されたサーバと、を有し、
前記入力部および前記表示部は、前記携帯端末装置により構成され、前記記憶部および前記演算処理部は、前記サーバにより構成されることを特徴とする、請求項６に記載の食事管理システム。
【請求項８】
コンピュータを、
食事の際に何口食べたかを示す口数を入力するための入力キー画像を表示する表示部と、
前記食事における一口当たりのカロリー数または糖質量と前記表示部の入力キー画像を押下した回数を口数として前記入力キー画像の１回の押下を前記一口とする入力とに基づき前記食事の際に摂取された前記カロリー数または前記糖質量を一口ずつ演算処理する演算処理部として機能させることを特徴とするプログラム。
【発明の詳細な説明】
【技術分野】
【０００１】
本発明は、食事管理システムおよびプログラムに関し、特に食事の際に摂取されたカロリー数または糖質量を何口食べたかを示す口数に基づいて管理する食事管理システムおよびプログラムに関する。
【背景技術】
【０００２】
従来から糖尿病患者等に対するカロリー数や糖質量の管理が行われており、例えば、特許文献１には、糖尿病患者等のユーザが食事前に撮影した食事画像を管理サーバに送付するとともに、各食事画像に献立メモ等を追加記入し食事データを編集して栄養士端末に送付し、更に食べ残しがあった場合には食事後の画像を送付して、これらに基づいて栄養士がカロリー計算等を行い、そのユーザが管理サーバにアクセスして計算結果を閲覧する食事管理システム（栄養管理システム）が開示されている。
【先行技術文献】
【特許文献】
【０００３】
【特許文献１】特開２００４−２５９１６２号
【発明の概要】
【発明が解決しようとする課題】
【０００４】
しかしながら、上述した従来の食事管理システムにおいては、食事前に食事画像の撮影をするとともに、献立メモ等を作成し、更に食べ残しがあった場合には食事後の画像も撮影しなければならず、食事管理のための作業が煩雑である。更に栄養士がカロリー計算を行い、ユーザが管理サーバにアクセスして計算結果を閲覧しなければならず、該計算結果の把握が事後的になる等、時間を要するという問題もある。
【０００５】
本願発明は上記事情に鑑みて創案されたもので、その目的は、煩雑な作業を介することなく食事管理を行うことができ、カロリー数または糖質量の演算結果の把握も時間を要することなく行うことができる食事管理システムおよびプログラムを提供することにある。
【課題を解決するための手段】
【０００６】
本願請求項１に記載の発明に係る食事管理システムは、食事の際に摂取されたカロリー数または糖質量を演算し管理する食事管理システムであって、食事の際に何口食べたかを示す口数を入力する入力部と、口数を入力するための表示を行う表示部と、食事における一口当たりのカロリー数または糖質量を記憶する記憶部と、記憶部に記憶された一口当たりのカロリー数または糖質量および入力部から入力された口数に基づいて食事の際に摂取されたカロリー数または糖質量の演算処理を行う演算処理部と、を有し、表示部は、口数を入力するための入力キー画像を表示するとともに、口数は、表示部の入力キー画像を押下した回数とし、入力キー画像の１回の押下を一口として一口ずつ入力されることを特徴とする。
【０００９】
本発明によれば、食事の際に何口食べたかを示す口数を入力する入力部と、口数を入力するための表示を行う表示部と、食事における一口当たりのカロリー数または糖質量を記憶する記憶部と、記憶部に記憶された一口当たりのカロリー数または糖質量および入力部から入力された口数に基づいて食事の際に摂取されたカロリー数または糖質量の演算処理を行う演算処理部と、を有することとしたので、カロリー数または糖質量の演算処理のための入力が口数のみで足り煩雑な作業を介することなく食事管理を行うことができる。また、カロリー数または糖質量の演算結果の把握も時間を要することなく行うことができる。
【００１０】
更に本発明によれば、表示部は、口数を入力するための入力キー画像を表示するとともに、口数は、表示部の入力キー画像を押下した回数とし、入力キー画像の１回の押下を一口として一口ずつ入力されることとしたので、一口ずつの入力作業を簡易に行うことができる。
【００１１】
演算処理部は、カロリー数または糖質量を一口ずつ累積して演算するとともに、カロリー数または糖質量の制限値から一口ずつ累積して演算したカロリー数または糖質量を減算し、該減算して得られた値を摂取可能な残カロリー数または残糖質量として口数が一口ずつ入力されるごとに表示部に表示させることとすれば、例えば食事をしながら摂取可能な残カロリー数または残糖質量を一口ずつ把握することができ、食事管理を一層きめ細かく行うことができる（請求項２）。
【００１２】
演算処理部は、カロリー数または糖質量を一口ずつ累積して演算するとともに、カロリー数または糖質量の制限値から一口ずつ累積して演算したカロリー数または糖質量を減算し、かつ、該減算して得られた値を一口当たりのカロリー数または糖質量で除し、該除して得られた値を摂取可能な残口数として口数が一口ずつ入力されるごとに表示部に表示させることとすれば、摂取可能な残口数を一口ずつ把握することができ、食事管理をより一層きめ細かく行うことができる（請求項３）。
【００１３】
記憶部は、一口当たりのカロリー数または糖質量を前記食事を構成している所定の単位要素ごとに記憶するとともに、入力部は、口数を単位要素ごとに一口ずつ入力し、表示部は、単位要素ごとに残口数を表示することとすれば、該食事管理を更に一層きめ細かく行うことができる（請求項４）。
【００１４】
演算処理部は、食事の終了を示す終了情報の入力に基づいてカロリー数または糖質量の演算処理を終了し、該演算処理の終了により得られた値を単位要素ごとのカロリー数または糖質量の総量として日付と対応させ、かつ、カロリー数または糖質量の日付による変化を演算し解析することとすれば、ユーザの食事内容の記録や管理を行うことができるとともに、ユーザの食事の嗜好や嗜好の変化を容易に解析することができる（請求項５）。
【００１５】
単位要素は、例えば、食事を構成している材料および飲料の種別とすることができる（請求項６）。
携帯端末装置と、携帯端末装置と通信回線を通じて接続され通信可能に構成されたサーバと、を有し、入力部および表示部は、携帯端末装置により構成され、記憶部および演算処理部は、サーバにより構成されることとすれば、携帯端末装置を用いて食事をしながら手軽に口数の入力や各種の表示を行うことができる（請求項７）。
【００１７】
本願請求項８に記載の発明に係るプログラムは、コンピュータを、食事の際に何口食べたかを示す口数を入力するための入力キー画像を表示する表示部と、食事における一口当たりのカロリー数または糖質量と表示部の入力キー画像を押下した回数を口数として入力キー画像の１回の押下を一口とする入力とに基づき食事の際に摂取されたカロリー数または糖質量を一口ずつ演算処理する演算処理部として機能させることを特徴とする。
【００１８】
すなわち、本発明に係るプログラムを用いることで、煩雑な作業を介することなく食事管理を行うことができ、カロリー数または糖質量の演算結果の把握も時間を要することなく行うことができる。
【発明の効果】
【００１９】
本発明によれば、煩雑な作業を介することなく食事管理を行うことができ、カロリー数または糖質量の演算結果の把握も時間を要することなく行うことができる。
【図面の簡単な説明】
【００２０】
【図１】図１は、本発明の実施形態に係る食事管理システムの全体構成の概要を示す図である。
【図２】図２は、食事管理システムに用いられるプログラムのアイコンを携帯端末装置の表示画面上に表示した状態を示す図である。
【図３】図３は、食事管理システムの機能構成を示すブロック図である。
【図４】図４は、携帯端末装置の表示部の入力キー画像を説明するための図である。
【図５】図５は、表示部の残カロリー数または残糖質量の表示、残口数の表示、および警告表示を説明するための図である。
【図６】図６は、カロリー数または糖質量の日付による変化の表示部による表示を説明するための図である。
【図７】図７は、食事管理システムによる食事管理方法を説明するためのフローチャートである。
【図８】図８は、応用実施例に係る食事管理システムの機能構成を示すブロック図である。
【図９】図９は、応用実施例に係る食事管理システムの食事管理方法を説明するためのフローチャートである。
【図１０】図１０は、応用実施例に係る食事管理システムによる食事管理方法を説明するための図９に続くフローチャートである。
【発明を実施するための形態】
【００２１】
以下、本発明の実施形態について図面を参照して詳細に説明する。
図１は本発明の実施形態を示す食事管理システムの全体構成の概要を示す図である。同図を参照して食事管理システム１の概要を説明すると、食事管理システム１は、食事の際に摂取されたカロリー数または糖質量（以下、カロリー数または糖質量は、カロリー数等と省略する場合がある）を演算し、管理する機能を有しており、スマートフォン等のタブレット端末に代表される携帯端末装置１０と、該携帯端末装置１０と通信回線を通じて接続され通信可能に構成されたサーバ２０と、を有し、携帯端末装置１０とサーバ２０は通信回線を通じて相互にデータの送受信が可能となっている。
【００２２】
図２および図３に示すように、食事管理システム１には、プログラム１００が用いられ、プログラム１００は、アイコン１１０の形態で携帯端末装置１０の表示画面上に表示されている。このプログラム１００を実行することにより、食事管理システム１において、予め設定された食事における一口当たりのカロリー数または糖質量および食事の際に何口食べたかを示す口数の入力に基づいて食事の際に摂取されたカロリー数等の演算処理を行う食事管理方法を実現することができ、口数を一口ずつ入力することができる。
【００２３】
食事管理システム１は、図３に示す如く、入力部３０および表示部４０を携帯端末装置１０により構成し、記憶部５０、演算処理部６０、および判断部７０をサーバ２０により構成している。携帯端末装置１０およびサーバ２０は、コンピュータとしての一般的構成を備え、入力キー、ディスプレイ、メモリ、およびＣＰＵ等を有している。すなわち、プログラム１００を実行することにより、携帯端末装置１０のコンピュータを、入力部３０、表示部４０として機能させ、サーバ２０のコンピュータを、記憶部５０、演算処理部６０、判断部７０として機能させることができる。
【００２４】
入力部３０は、タッチパネル３１等で構成されており、ユーザがタッチパネル３１を押下することにより各種の情報を入力する機能を有している。つまり、入力部３０を介して、より詳しくはタッチパネル３１を押下して、プログラム１００の実行を開始するための情報、食事の際に何口食べたかを示す口数の情報、食事の終了を示す終了情報より詳しくはプログラム１００の実行を終了するための情報、その他食事管理に必要な各種の情報を入力することができる。
【００２５】
表示部４０は、入力部３０から口数を入力するための表示を行う機能を有している。すなわち、図４に示すように、表示部４０は、口数を入力するための入力キー画像４１を表示し、ユーザが入力部３０から入力キー画像４１を押下することにより口数を入力することができる。つまり、口数は、入力部３０から入力キー画像４１を押下した回数とし、入力キー画像４１の１回の押下を一口として入力部３０から一口ずつ入力することができる。
【００２６】
ここで、入力キー画像４１は、食事を構成している所定の単位要素ごとに形成されており、入力部３０を介して単位要素ごとに入力キー画像４１を押下することにより、口数を単位要素ごとに一口ずつ入力することができる。入力キー画像４１は、単位要素を示す絵柄で表示され、単位要素は、食事を構成する材料や飲み物の種別からなる。単位要素は、例えば、肉、魚、野菜、米、麺、酒、ジュース等で構成される。更に、表示部４０は、演算処理部５０による演算処理の結果の表示やその他所定の表示を行う機能を有している。
【００２７】
記憶部５０は、食事における一口当たりカロリー数または糖質量を単位要素ごとに記憶する機能を有している。この一口当たりのカロリー数等は、実際に人が食事をしたときの一口当たりのカロリー数等であり、ユーザごとに設定される。また、記憶部５０は、カロリー数等の制限値を記憶する機能も有している。この制限値もユーザごとに設定され、性別、年齢、身長、および体重に基づいて設定される。制限値は、例えば、糖尿病の治療を対象に設定される。更に、記憶部５０は、演算処理部６０による演算処理の結果を記憶する機能も有している。
【００２８】
演算処理部６０は、記憶部５０に記憶された一口当たりのカロリー数または糖質量および入力部３０から入力された口数に基づいて食事の際に摂取されたカロリー数または糖質量の演算処理を行う機能を有している。すなわち、演算処理部６０は、カロリー数等を一口ずつ累積して演算するとともに、カロリー数等の制限値から一口ずつ累積して演算したカロリー数等を逐次減算し、図５に示すように、逐次減算して得られた値を摂取可能な残カロリー数または残糖質量（以下、残カロリー数または残糖質量は、残カロリー数等とする場合がある）として口数が一口ずつ入力されるごとに表示部４０に表示させる。
【００２９】
更に、演算処理部６０は、逐次減算して得られたカロリー数等を単位要素ごとに一口当たりのカロリー数等で逐次除し、同じく図５に示すように、逐次除して得られた値を単位要素ごとに摂取可能な残口数として口数が一口ずつ入力されるごとに表示部４０に表示させる。また演算処理部６０は、更に図５に示すように、一口ずつ累積して演算したカロリー数等がカロリー数等の制限値を超えたときに表示部４０に所定の警告表示をさせる。
【００３０】
このような演算処理部６０による一連の演算処理は、入力部３０からの終了情報の入力により終了する。すなわち、演算処理部６０は、終了情報の入力によりカロリー数等の一連の演算を終了し、該一連の演算の終了により得られた値を食事ごとかつ単位要素ごとのカロリー数または糖質量の総量として日付と対応させる。更に、演算処理部６０は、カロリー数または糖質量の日付による変化を食事ごとかつ単位要素ごとに演算し解析する（例えば、朝食における単位要素「肉」のカロリー数等の日付による変化を演算し解析する）。演算処理部６０は、図６に示すように、このように得られた食事ごとかつ単位要素ごとに解析されたカロリー数等の日付による変化を表示部４０にグラフ表示させる機能も有している。この他演算処理部６０は、食事に要した時間の表示、食事の終了ごと或いは日ごとに摂取したカロリー数が適正か否かの表示等を表示部４０に表示させる機能も有している。つまり、上述からも明らかなように、演算処理部６０は、表示部４０における表示を制御する表示制御部としても機能している。
【００３１】
判断部７０は、一口ずつ累積して演算したカロリー数等が制限値を超えている否かの判断、食事の終了を示す情報の入力がされたか否かの判断等、演算処理部６０の演算処理に必要な各種の判断を行う機能を有している。
【００３２】
次に、食事管理システム１による食事管理のフローを図７のフローチャートに基づいて説明する。なお、以下においては、ユーザが入力部３０を介してプログラム１００の実行を開始するための情報の入力、より詳しくは表示画面上のプログラム１００のアイコン１１０の押下により、プログラム１００の実行を開始し、表示部４０が入力キー画像４１を表示した後の食事管理のフローについて説明するものとする。
【００３３】
なお、上記の如く、プログラム１００を実行することにより、携帯端末装置１０のコンピュータを、入力部３０、表示部４０として機能させ、サーバ２０のコンピュータを、記憶部５０、演算処理部６０、判断部７０として機能させることができ、より詳しくは、携帯端末装置１０のコンピュータを、食事の際に何口食べたかを示す口数を入力する入力部３０と、口数を入力するための表示を行う表示部４０として機能させ、サーバ２０のコンピュータを、食事における一口当たりのカロリー数または糖質量を記憶する記憶部５０と、記憶部５０に記憶された一口当たりのカロリー数または糖質量および入力部３０から入力された口数に基づいて食事の際に摂取されたカロリー数または糖質量の演算処理を行う演算処理部６０と、演算処理部６０の演算処理に必要な各種の判断を行う判断部７０として機能させることができ、更に詳しくは、表示部４０を、食事の際に何口食べたかを示す口数を入力するための入力キー画像を表示するように機能させ、演算処理部６０を、食事における一口当たりのカロリー数または糖質量と表示部の入力キー画像を押下した回数を口数として入力キー画像４１の１回の押下を一口とする入力とに基づき食事の際に摂取されたカロリー数または糖質量を一口ずつ演算処理するように機能させることができる。
【００３４】
まず、ステップＳ１０において、ユーザが食事の進行に対応させながら入力部３０から単位要素ごとに入力キー画像４１を押下して口数を単位要素ごとに一口ずつ入力する。
続いて、ステップＳ２０において、演算処理部６０が記憶部５０に記憶された一口当たりのカロリー数等およびステップＳ１０で入力された単位要素ごとの口数に基づいて、カロリー数等を一口ずつ累積して演算する。
【００３５】
次いで、ステップＳ３０において、演算処理部６０が記憶部５０に記憶されたカロリー数等の制限値からステップＳ２０で一口ずつ累積して演算したカロリー数等を一口ごとに逐次減算する。
そして、ステップＳ４０において、判断部７０がステップＳ３０の演算値がプラスか否かの判断、つまり一口ずつ累積して演算したカロリー数等が制限値を超えているか否かの判断を一口ごとに行い、累積値が制限値を超えていると判断される場合は、ステップＳ５０において、演算処理部６０が表示部４０に警告表示をさせる。
【００３６】
一方、ステップＳ４０において、累積値が制限値以下と判断される場合はステップＳ６０において、演算処理部６０が残カロリー数等を演算するとともに、該残カロリー数等を表示部４０に表示させる。続いて、ステップＳ７０において、演算処理部６０がステップＳ６０で得られた残カロリー数等を単位要素ごとに一口当たりのカロリー数等で逐次除し、該逐次除して得られた値を単位要素ごとに摂取可能な残口数として表示部４０に表示させる。
【００３７】
次いで、ステップＳ８０において、判断部７０が入力部３０から食事の終了情報より詳しくはプログラム１００の実行を終了させるための情報が入力されたか否かの判断を行い、該終了情報が入力された場合は、ステップＳ９０において、演算処理部６０がカロリー数等の一連の演算を終了するとともに、該終了により得られた値を食事ごとかつ単位要素ごとのカロリー数等の総量として日付と対応させる。更に、演算処理部６０は、カロリー数等の日付による変化を食事ごとかつ単位要素ごとに演算し解析し、該解析結果を表示部４０に表示させる。
【００３８】
次に、上述した食事管理システム１の応用実施例について説明する。すなわち、図８に示すように、応用実施例に係る食事管理システム２００は、上述した携帯端末装置１０と、食事管理システム２００を使用するユーザのカロリー数等を管理する管理者の情報端末装置３００と、ユーザに対し医療行為を行う医師の情報端末装置４００と、携帯端末装置１０、管理者の情報端末装置３００、および医師の情報端末装置４００と通信回線を通じて接続され通信可能に構成されたサーバ５００と、を有しており、携帯端末装置１０、管理者の情報端末装置３００、および医師の情報端末装置４００とサーバ５００は通信回線を通じて相互にデータの送受信が可能となっている。
【００３９】
すなわち、応用実施例に係るサーバ５００は、上述したサーバ２０と同様に、記憶部５０、演算処理部６０、および判断部７０として機能するとともに、第１のアクセス許可部５１０、データ格納部５２０、および第２のアクセス許可部５３０としても機能し、記憶部５０には、演算処理部６０による演算処理の結果、より詳しくは上述した動作フローのステップＳ９０により得られた日付と対応した食事ごとかつ単位要素ごとのカロリー数等の総量データおよび食事ごとかつ単位要素ごとに演算し解析されたデータが記憶されている。
【００４０】
更に、サーバ５００において、第１のアクセス許可部５１０は、記憶部５０に記憶されたデータに管理者が情報端末装置３００および通信回線を通じてアクセスすることを許可する機能を有し、データ格納部５２０は、記憶部５０に記憶されたデータに基づいて管理者により作成されたカロリー数等を管理するデータ、より詳しくは記憶部５０に記憶されたデータを選別したデータ若しくは評価したデータであって医師が医療行為に効率よく利用できるように作成されたデータを格納する機能を有し、第２のアクセス許可部５３０は、記憶部５０およびデータ格納部５３０に記憶され格納されたデータに医師が情報端末装置４００および通信回線を通じてアクセスすることを許可する機能を有している。
【００４１】
すなわち、図９のフローチャートに示すように、食事管理システム２００は、演算処理部６０により演算処理が行われたとき該演算処理の結果を記憶部５０に記憶させ（ステップＳ２００）、次いで、管理者から記憶されたデータへのアクセス要求があった場合は（ステップＳ２１０）、第１のアクセス許可部５１０が該アクセスを許可するか否かの判断を行い（ステップＳ２２０）、該アクセスを許可する場合は、管理者が記憶されたデータにアクセスすることができる（ステップＳ２３０）。そして、記憶部５０に記憶されたデータに基づいて管理者がデータを作成し、より詳しくは上述の如く医師が医療行為に効率よく利用できるデータを作成し（ステップＳ２４０）、該データが管理者から送信されたときは、該送信されたデータをデータ格納部５２０に格納する（ステップＳ２５０）。
【００４２】
次いで、図１０に示すように、医師から記憶されたデータ、格納されたデータへのアクセス要求があった場合は（ステップＳ３００）、第２のアクセス許可部５３０が該アクセスを許可するか否かの判断を行い（ステップＳ３１０）、該アクセスを許可する場合は、医師が記憶されたデータ、格納されたデータにアクセスすることができる（ステップＳ３２０）。
【００４３】
以上説明したように、本発明によれば、予め設定された食事における一口当たりのカロリー数等および食事の際に何口食べたかを示す口数の入力に基づいて食事の際に摂取されたカロリー数等の演算処理を行うこととしたので、より詳しくは、食事の際に何口食べたかを示す口数を入力する入力部３０と、口数を入力するための表示を行う表示部４０と、食事における一口当たりのカロリー数等を記憶する記憶部５０と、記憶部５０に記憶された一口当たりのカロリー数等および口数の入力に基づいて食事の際に摂取されたカロリー数等の演算処理を行う演算処理部６０と、を有することとしたので、カロリー数等の演算処理のための入力が口数のみで足り煩雑な作業を介することなく食事管理を行うことができる。また、カロリー数等の演算結果の把握も時間を要することなく行うことができる。
【００４４】
また、口数を一口ずつ入力することとしたので、より詳しくは、口数は、表示部４０の入力キー画像４１を押下した回数とし、入力キー画像４１の１回の押下を一口として一口ずつ入力されることとしたので、一口ずつの入力作業を簡易に行うことができる。
更に、演算処理部６０は、摂取可能な残カロリー数等や残口数を口数が一口ずつ入力されるごとに表示部４０に表示させることとしたので、例えば食事をしながら摂取可能な残カロリー数等を一口ずつ把握することができ、食事管理をきめ細かく行うことができる。
【００４５】
更にまた、食事管理を食事を構成している単位要素ごとに行うこととしたので、該食事管理を一層きめ細かく行うことができる。単位要素は絵柄で表示することとしたので、子供や外国人でも口数の入力も簡単に行うことができる。
また、演算処理部６０は、単位要素ごとのカロリー数等の総量を日付と対応させ、かつ、カロリー数等の日付による変化を演算し解析することとしたので、ユーザの食事内容の記録や管理を行うことができるとともに、ユーザの食事の嗜好や嗜好の変化を容易に解析することができる。
【００４６】
また更に、入力部３０および表示部４０を携帯端末装置１０で構成することとしたので、食事をしながら手軽に口数の入力を行うことができる。また、携帯端末装置１０を用いて口数の入力や各種表示を行うことにより、ユーザが食事管理をゲーム感覚で楽しみながら行うことができる。
【００４７】
また、携帯端末装置１０と、管理者の情報端末装置３００と、医師の情報端末装置４００と、携帯端末装置１０、管理者の情報端末装置３００、および医師の情報端末装置４００と通信回線を通じて接続されるサーバ５００と、を有する食事管理システム２００において、サーバ５００の記憶部５０に、演算処理部６０により演算処理されたデータが記憶されるとともに、記憶部５０に格納されたデータに基づいて管理者により作成されたカロリー数等を管理するデータより詳しくは管理者により選別され評価されたデータを格納するデータ格納部５２０を有することとしたので、カロリー数等の食事管理をユーザのみならず所定の管理者や医師も交えて徹底して行うことができる。また、演算処理部６０の演算処理により得られたデータ量が膨大であっても管理者により選別され評価されたデータを医師が利用することにより医療行為を効率よく行うことができる。
【００４８】
なお、本発明は上述した実施形態に限定されるものではなく、特許請求の範囲に逸脱しない範囲で種々の応用実施または変形実施が可能であることは勿論である。すなわち、上述した実施形態にあっては、入力部３０をタッチパネル３１とすることとしているが、携帯端末装置１０にキーボードを附属機器として接続する等して入力部３０をキーボードで構成することとしてもよい。また、携帯端末装置１０をスマートフォン等のタブレット端末で構成することとしているが、例えば携帯端末装置１０を折り畳み式の携帯電話機で構成することとしてもよい。これらの場合においてもユーザが入力部３０を所要に操作することにより表示部４０の入力キー画像４１を押下して口数を一口ずつ入力することができるのは勿論である。
【産業上の利用可能性】
【００４９】
本発明は、食事の際に摂取されたカロリー数または糖質量を口数に基づいて管理することにより食事の管理を飛躍的に向上させる等、産業の発達に大きく貢献する。
【符号の説明】
【００５０】
１：食事管理システム、
１０：携帯端末装置、
２０：サーバ、
３０：入力部、３１：タッチパネル、
４０：表示部、４１：入力キー画像、
５０：記憶部、
６０：演算処理部、
７０：判断部、
１００：プログラム、
１１０：アイコン、
２００：食事管理システム、
３００：管理者の情報端末装置、
４００：医師の情報端末装置、
５００：サーバ、
５１０：第１のアクセス許可部、
５２０：データ格納部、
５３０：第２のアクセス許可部
【要約】
【課題】煩雑な作業を介することなく食事管理を行うことができ、カロリー数または糖質量の演算結果の把握も時間を要することなく行うことができる食事管理方法、食事管理システム、およびプログラムを提供する。
【解決手段】食事の際に摂取されたカロリー数または糖質量を演算し管理する食事管理システム１であって、食事の際に何口食べたかを示す口数を入力する入力部３０と、口数を入力するための表示を行う表示部４０と、食事における一口当たりのカロリー数または糖質量を記憶する記憶部５０と、記憶部５０に記憶された一口当たりのカロリー数または糖質量および入力部３０から入力された口数に基づいて食事の際に摂取されたカロリー数または糖質量の演算処理を行う演算処理部６０と、を有する。
【選択図】図３【図１】
0005427312.tif 000002
【図２】
0005427312.tif 000003
【図３】
0005427312.tif 000004
【図４】
0005427312.tif 000005
【図５】
0005427312.tif 000006
【図６】
0005427312.tif 000007
【図７】
0005427312.tif 000008
【図８】
0005427312.tif 000009
【図９】
0005427312.tif 000010
【図１０】
0005427312.tif 000011